(57)【要約】【課題】釣銭機連動操作の改善を図り、一取引にかかる時間を低減する。【解決手段】貨幣入出金装置とのデータ通信を司るデータ通信部と、売上登録処理にかかる売上合計金額に対する現金での決済を宣言するとともに貨幣入出金装置に対して入金受け付けの開始を指示する小計キーと、貨幣入出金装置に対して入金額情報の通知を要求する入金確認キーと、小計キーが操作されたことを条件に、貨幣入出金装置に対して入金受け付けの開始を指示する入金開始コマンドを送信する第１の送信手段と、入金確認キーが操作されたことを条件に、貨幣入出金装置に対して入金額情報の通知を要求する入金額情報通知コマンドを送信する第２の送信手段と、受信した入金額情報に基づく貨幣入出金装置に対する入金額を預かり金額として入力する預かり金額入力手段と、入力された預かり金額が売上合計金額以上であることを条件に、締め処理の実行を許可する許可手段と、を備える。【選択図】図５
2015056072.tif 000002
【特許請求の範囲】
【請求項１】
入金された貨幣の金額に関する入金額情報を取得する貨幣入出金装置とのデータ通信を司るデータ通信部と、
売上登録処理にかかる売上合計金額に対する現金での決済を宣言するとともに前記貨幣入出金装置に対して入金受け付けの開始を指示する小計キーと、
前記貨幣入出金装置に対して前記入金額情報の通知を要求する入金確認キーと、
前記小計キーが操作されたことを条件に、前記データ通信部を介して前記貨幣入出金装置に対して入金受け付けの開始を指示する入金開始コマンドを送信する第１の送信手段と、
前記入金確認キーが操作されたことを条件に、前記データ通信部を介して前記貨幣入出金装置に対して前記入金額情報の通知を要求する入金額情報通知コマンドを送信する第２の送信手段と、
前記データ通信部を介して受信した前記入金額情報に基づく前記貨幣入出金装置に対する入金額を預かり金額として入力する預かり金額入力手段と、
前記預かり金額入力手段により入力された前記預かり金額が前記売上合計金額以上であることを条件に、締め処理の実行を許可する許可手段と、
を備えることを特徴とする商品販売データ処理装置。
【請求項２】
前記小計キーが操作されたことを条件に、前記貨幣入出金装置における前記預かり金額と前記売上合計金額とを含む入金確認画面を表示部に表示する画面表示手段を更に備える、
ことを特徴とする請求項１記載の商品販売データ処理装置。
【請求項３】
現金決済の以外の決済を宣言する決済キーと、
前記小計キーが操作されたことを条件とした前記貨幣入出金装置に対する入金による現金決済の際に、前記決済キーが操作されたことを条件に、前記現金決済の以外の決済処理を実行して決済された金額を前記預かり金額とする決済手段と、
を更に備えることを特徴とする請求項１または２記載の商品販売データ処理装置。
【請求項４】
前記入金確認画面に表示された預かり金額の取り消しを宣言する取消キーと、
前記小計キーが操作されたことを条件とした前記貨幣入出金装置に対する入金による現金決済の際に、前記取消キーが操作されたことを条件に、前記入金確認画面に表示された預かり金額を取り消す取消手段と、
を更に備えることを特徴とする請求項２または３記載の商品販売データ処理装置。
【請求項５】
前記入金確認画面を消去するとともに、前記小計キーの操作前の状態に戻す小計解除処理の実行を宣言する小計解除キーと、
前記小計キーが操作されたことを条件とした前記貨幣入出金装置に対する入金による現金決済の際に、前記小計解除キーが操作されたことを条件に、前記入金確認画面を消去するとともに、前記小計キーの操作前の状態に戻す小計解除処理を実行する解除手段と、
を更に備えることを特徴とする請求項２ないし４の何れか一記載の商品販売データ処理装置。
【請求項６】
入金された貨幣の金額に関する入金額情報を取得する貨幣入出金装置とのデータ通信を司るデータ通信部と、売上登録処理にかかる売上合計金額に対する現金での決済を宣言するとともに前記貨幣入出金装置に対して入金受け付けの開始を指示する小計キーと、前記貨幣入出金装置に対して前記入金額情報の通知を要求する入金確認キーと、を備える商品販売データ処理装置を制御するコンピュータを、
前記小計キーが操作されたことを条件に、前記データ通信部を介して前記貨幣入出金装置に対して入金受け付けの開始を指示する入金開始コマンドを送信する第１の送信手段と、
前記入金確認キーが操作されたことを条件に、前記データ通信部を介して前記貨幣入出金装置に対して前記入金額情報の通知を要求する入金額情報通知コマンドを送信する第２の送信手段と、
前記データ通信部を介して受信した前記入金額情報に基づく前記貨幣入出金装置に対する入金額を預かり金額として入力する預かり金額入力手段と、
前記預かり金額入力手段により入力された前記預かり金額が前記売上合計金額以上であることを条件に、締め処理の実行を許可する許可手段と、
として機能させるためのプログラム。
【発明の詳細な説明】
【技術分野】
【０００１】
本発明の実施形態は、商品販売データ処理装置およびプログラムに関する。
【背景技術】
【０００２】
従来、例えば商品販売データ処理装置であるＰＯＳ（Point  of  Sales）端末に貨幣入出金装置を接続して構成したシステムが知られている。このようなシステムは、概略的には、ＰＯＳ端末での精算業務に伴い、キャッシャが顧客から商品の代金として預かった現金を貨幣入出金装置に入金することにより、貨幣入出金装置において入金額が計数されてＰＯＳ端末に送信されるようになっている。そして、システムは、キャッシャが締めを宣言する預／現計キーを押下することにより、ＰＯＳ端末において貨幣入出金装置に入金された入金額に基づく締め処理を実行し、レシートを発行する。また、システムは、釣銭がある場合には貨幣入出金装置から釣銭を払い出し、取引を終了する。
【０００３】
ところで、従来のシステムにおいては、キャッシャは、ＰＯＳ端末での精算業務に伴って顧客から預かった現金を貨幣入出金装置に入金する際に、ＰＯＳ端末に設けられた入金開始を宣言する入金確認キーを押下することで貨幣入出金装置に対して入金開始コマンドを通知するようにしている。
【０００４】
上述したようなＰＯＳ端末と貨幣入出金装置とを連動させて処理するシステムにおいては、各装置に対する操作の改善を図って、一取引にかかる時間の低減化が望まれている。
【発明の概要】
【発明が解決しようとする課題】
【０００５】
本発明が解決しようとする課題は、釣銭機連動操作の改善を図り、一取引にかかる時間を低減することができる商品販売データ処理装置およびプログラムを提供することである。
【課題を解決するための手段】
【０００６】
実施形態の商品販売データ処理装置は、データ通信部と、小計キーと、入金確認キーと、第１の送信手段と、第２の送信手段と、預かり金額入力手段と、許可手段と、を備える。前記データ通信部は、入金された貨幣の金額に関する入金額情報を取得する貨幣入出金装置とのデータ通信を司る。前記小計キーは、売上登録処理にかかる売上合計金額に対する現金での決済を宣言するとともに前記貨幣入出金装置に対して入金受け付けの開始を指示する。前記入金確認キーは、前記貨幣入出金装置に対して前記入金額情報の通知を要求する。前記第１の送信手段は、前記小計キーが操作されたことを条件に、前記データ通信部を介して前記貨幣入出金装置に対して入金受け付けの開始を指示する入金開始コマンドを送信する。前記第２の送信手段は、前記入金確認キーが操作されたことを条件に、前記データ通信部を介して前記貨幣入出金装置に対して前記入金額情報の通知を要求する入金額情報通知コマンドを送信する。前記預かり金額入力手段は、前記データ通信部を介して受信した前記入金額情報に基づく前記貨幣入出金装置に対する入金額を預かり金額として入力する。前記許可手段は、前記預かり金額入力手段により入力された前記預かり金額が前記売上合計金額以上であることを条件に、締め処理の実行を許可する。
【図面の簡単な説明】
【０００７】
【図１】図１は、実施形態にかかる商品販売データ処理システムの外観を示す斜視図である。
【図２】図２は、キーボードの各種キーの配列を示す平面図である。
【図３】図３は、ＰＯＳ端末に備えられる各部の電気的接続を示すブロック図である。
【図４】図４は、ＰＯＳ端末における売上処理にかかる機能ブロック図である。
【図５】図５は、売上処理の流れを概略的に示すフローチャートである。
【図６】図６は、入金確認画面の一例を示す正面図である。
【発明を実施するための形態】
【０００８】
図１は、実施形態にかかる商品販売データ処理システム１００の外観を示す斜視図である。図１に示すように、商品販売データ処理システム１００は、コンビニエンスストア等で使用される商品販売データ処理装置であるＰＯＳ（Point  of  Sales）端末１、貨幣入出金装置である硬貨入出金装置２及び紙幣入出金装置３を備えている。
【０００９】
まず、商品販売データ処理装置としてのＰＯＳ端末１について説明する。
【００１０】
ＰＯＳ端末１は、図１に示すように、硬貨入出金装置２及び紙幣入出金装置３上に載置されている。このＰＯＳ端末１には、各種のキーが集合するキーボード４、図示しない鍵によってＰＯＳ端末１の動作モードを登録モード・設定モード・精算モード・点検モード等の各業務モードに切り替え設定するためのコントロールキー５が設けられている。また、ＰＯＳ端末１には、プリンタ６（図３参照）によって印字される取引レシート等を発行するレシート発行口７及びジャーナル窓８が設けられている。
【００１１】
また、ＰＯＳ端末１の右側上方には、操作者側の表示部として機能するディスプレイ９が配置され、このディスプレイ９の近傍には客側の表示部として機能する客側ディスプレイ１０が立設されている。なお、ディスプレイ９には、タッチパネルが積層されており、入力部としても機能する。さらに、このＰＯＳ端末１には、商品に付される商品コードを光学的に読み取るためのバーコードスキャナ１１が接続されている。
【００１２】
図２は、キーボード４の各種キーの配列を示す平面図である。キーボード４は、数字を入力するための「０」から「９」までの置数キー４ａ、締めを宣言する締めキーとして機能する預／現計キー４ｂ、商品券による決済を宣言するための決済キーである商品券キー４ｃ、小計キー４ｅ、入金確認キー４ｆ、取消キー４ｇ、小計解除キー４ｈ等の各種のキーをブロック毎に配列した外観構造を有している。
【００１３】
小計キー４ｅは、現金での決済を宣言するとともに貨幣入出金装置である硬貨入出金装置２及び紙幣入出金装置３に対して入金受け付けの開始を指示するためのものである。
【００１４】
入金確認キー４ｆは、硬貨入出金装置２及び紙幣入出金装置３に対して入金受け付けを終了して入金動作での入金額情報の通知を要求するためのものである。
【００１５】
取消キー４ｇは、後述する入金確認画面Ｐ１（図６参照）に表示された預かり金額の取り消しを宣言するためのものである。
【００１６】
小計解除キー４ｈは、入金確認画面Ｐ１（図６参照）を消去するとともに、小計キー４ｅの操作前の状態に戻す小計解除処理の実行を宣言するためのものである。
【００１７】
次に、ＰＯＳ端末１に備えられる各部の電気的接続を図３に基づいて説明する。図３に示すように、このＰＯＳ端末１は、制御部１３を内蔵し、この制御部１３が、前述したキーボード４、コントロールキー５、プリンタ６、ディスプレイ９、客側ディスプレイ１０、バーコードスキャナ１１等の各部をバスライン１４と各種制御回路（図示せず）とを介して駆動制御する。また、制御部１３は、ＣＰＵ（Central  Processing  Unit）１５にバスライン１４を介して、起動プログラム等の固定的データを格納する記録媒体であるＲＯＭ（Read  Only  Memory）１６と各種データを書き替え自在に格納するＲＡＭ（Random  Access  Memory）１７とを接続することにより構成されている。ＲＡＭ１７は、可変的なデータを書き替え自在に格納する機能を利用して、各種ワークエリアの機能を果たす。ＲＡＭ１７には、後述する売上処理に伴い、売上金額を記憶する売上バッファ、預かり金額を記憶する預かり金額バッファ等の各種バッファが確保される。なお、ＲＡＭ１７は、バッテリ（図示せず）によってバックアップされている。
【００１８】
また、制御部１３にはバスライン１４を介してＨＤＤ（Hard  Disk  Drive）１８が接続されている。このＨＤＤ１８には、制御部１３を動作させる制御プログラムや商品マスタファイル、売上登録に係る売上情報を記憶保持する売上ファイル、ジャーナルファイル等が格納されている。
【００１９】
なお、ＰＯＳ端末１の制御部１３を動作させる制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００２０】
また、ＰＯＳ端末１の制御部１３を動作させる制御プログラムを、インターネット等のネットワークに接続されたコンピュータ上に格納し、ネットワーク経由でダウンロードさせることにより提供するように構成しても良い。また、ＰＯＳ端末１の制御部１３を動作させる制御プログラムをインターネット等のネットワーク経由で提供または配布するように構成しても良い。
【００２１】
さらに、制御部１３にはバスライン１４を介して通信Ｉ／Ｆ１９が接続されており、このＰＯＳ端末１は、硬貨入出金装置２及び紙幣入出金装置３等に接続可能になっている。すなわち、通信Ｉ／Ｆ１９は、貨幣入出金装置である硬貨入出金装置２及び紙幣入出金装置３とのデータ通信を司るデータ通信部として機能する。
【００２２】
次いで、貨幣入出金装置としての硬貨入出金装置２について簡単に説明する。
【００２３】
硬貨入出金装置２は、ハウジング２１の内部に制御部、データ通信部等を備えており、ＰＯＳ端末１との間でのデータ通信可能に構成されている。硬貨入出金装置２では、ハウジング２１の内部に設けられた入出金機構を制御部が駆動制御することにより、ハウジング２１に形成された硬貨投入口２２から入金された硬貨をハウジング２１の内部に金種別に収納する。この際、入金された硬貨を金種毎に計数する。また、ＰＯＳ端末１から硬貨の払出命令があった場合には、命令に応じて硬貨をハウジング２１に形成された硬貨払出口２３に払い出す。
【００２４】
次いで、貨幣入出金装置としての紙幣入出金装置３について簡単に説明する。
【００２５】
紙幣入出金装置３は、ハウジング３１の内部に制御部及びデータ通信部を備えており、ＰＯＳ端末１との間でのデータ通信可能に構成されている。紙幣入出金装置３では、ハウジング３１の内部に設けられた入出金機構を制御部が駆動制御することにより、ハウジング３１に形成された紙幣入金口３２から入金された紙幣をハウジング３１の内部に金種別に収納する。この際、入金された紙幣を金種毎に計数する。また、ＰＯＳ端末１から紙幣の払出命令があった場合には、命令に応じて紙幣をハウジング３１に形成された紙幣払出口３３に払い出す。
【００２６】
次に、ＰＯＳ端末１のＨＤＤ１８に格納された制御プログラムが制御部１３に実行させる機能について説明する。
【００２７】
起動後のＰＯＳ端末１では、コントロールキー５の切り換え位置に応じて動作モードが選択される。つまり、コントロールキー５の切り換え位置によって発生する出力信号に応じ、制御部１３がＰＯＳ端末１の動作モードを登録モード、設定モード、精算モード、点検モード等に設定する。本実施の形態においては、各モードの処理について従来のＰＯＳ端末１によって行なわれる処理と同様の処理についてはその説明を省略する。
【００２８】
次に、本実施形態のＰＯＳ端末１の有する特長的な機能である売上処理の流れについて説明する。
【００２９】
ここで、図４はＰＯＳ端末１における売上処理にかかる機能ブロック図である。図４に示すように、ＰＯＳ端末１で実行される制御プログラムは、第１の送信手段１３１と、第２の送信手段１３２と、預かり金額入力手段１３３と、許可手段１３４と、画面表示手段１３５と、決済手段１３６と、取消手段１３７と、解除手段１３８と、を含むモジュール構成となっている。制御部１３は、ＨＤＤ１８から制御プログラムを読み出して、上記各部をＲＡＭ１７にロードする。これにより、第１の送信手段１３１と、第２の送信手段１３２と、預かり金額入力手段１３３と、許可手段１３４と、画面表示手段１３５と、決済手段１３６と、取消手段１３７と、解除手段１３８とがＲＡＭ１７上に生成される。
【００３０】
第１の送信手段１３１は、小計キー４ｅが操作されたことを条件に、通信Ｉ／Ｆ１９を介して貨幣入出金装置（硬貨入出金装置２及び紙幣入出金装置３）に対して入金受け付けの開始を指示する入金開始コマンドを送信する。
【００３１】
第２の送信手段１３２は、入金確認キー４ｆが操作されたことを条件に、通信Ｉ／Ｆ１９を介して貨幣入出金装置（硬貨入出金装置２及び紙幣入出金装置３）に対して各貨幣の計数結果である入金額情報の通知を要求する入金額情報通知コマンドを送信する。
【００３２】
預かり金額入力手段１３３は、通信Ｉ／Ｆ１９を介して受信した入金額情報に基づく貨幣入出金装置（硬貨入出金装置２及び紙幣入出金装置３）に対する入金額を預かり金額として入力する。
【００３３】
許可手段１３４は、預かり金額入力手段１３３により入力された預かり金額が売上登録処理にかかる売上合計金額以上であることを条件に、締め処理の実行を許可する。
【００３４】
画面表示手段１３５は、小計キー４ｅが操作されたことを条件に、貨幣入出金装置（硬貨入出金装置２及び紙幣入出金装置３）における預かり金額と売上合計金額とを含む入金確認画面Ｐ１（図６参照）をディスプレイ９にポップアップ表示する。
【００３５】
決済手段１３６は、小計キー４ｅが操作されたことを条件とした貨幣入出金装置（硬貨入出金装置２及び紙幣入出金装置３）に対する入金による現金決済の際に、決済キーである商品券キー４ｃが操作されたことを条件に、現金決済の以外の決済処理（例えば、商品券による決済処理）を実行して決済された金額を預かり金額とする。
【００３６】
取消手段１３７は、小計キー４ｅが操作されたことを条件とした貨幣入出金装置（硬貨入出金装置２及び紙幣入出金装置３）に対する入金による現金決済の際に、取消キー４ｇが操作されたことを条件に、入金確認画面Ｐ１（図６参照）に表示された預かり金額を取り消す。
【００３７】
解除手段１３８は、小計キー４ｅが操作されたことを条件とした貨幣入出金装置（硬貨入出金装置２及び紙幣入出金装置３）に対する入金による現金決済の際に、小計解除キー４ｈが操作されたことを条件に、入金確認画面Ｐ１（図６参照）を消去するとともに、小計キー４ｅの操作前の状態に戻す小計解除処理を実行する。
【００３８】
次いで、実施形態のＰＯＳ端末１の有する特長的な機能である売上処理の流れを硬貨入出金装置２,紙幣入出金装置３の動作及びキャッシャの操作手順とともに以下に説明する。
【００３９】
ここで、図５は売上処理の流れを概略的に示すフローチャートである。売上処理は、コントロールキー５の切り換え操作によって登録モードに設定されていることを条件として実行される。
【００４０】
図５に示すように、ＰＯＳ端末１の制御部１３は、売上処理として、まず、売上商品についてのバーコードスキャナ１１による商品コードの読み取りやキーボード４の置数キー４ａによる商品コードの入力、及びキーボード４の置数キー４ａによる販売個数の入力に待機するとともに（ステップＳ１）、キーボード４の小計キー４ｅの操作に待機する（ステップＳ３）。
【００４１】
ＰＯＳ端末１の制御部１３は、バーコードスキャナ１１による商品情報である商品コードの読み取り入力、及びキーボード４のキー入力による販売個数の入力等があったと判断すると（ステップＳ１のＹｅｓ）、売上登録処理を実行する（ステップＳ２）。
【００４２】
この売上登録処理では、ＰＯＳ端末１の制御部１３は、入力された商品コードに基づいて商品マスタファイルを検索することにより得られた商品名や単価等に基づく売上処理データをＲＡＭ１７の売上バッファやジャーナルバッファに格納し、その単価等の取引情報をディスプレイ９に表示する。加えて、ＰＯＳ端末１の制御部１３は、ここまでの売上データに基づく商品の合計金額（売上合計金額）を算出し、ＲＡＭ１７の売上バッファに格納してディスプレイ９に表示する。
【００４３】
ＰＯＳ端末１の制御部１３は、キーボード４の小計キー４ｅが操作されて現金による決済が宣言されたと判断する迄（ステップＳ３のＹｅｓ）、ステップＳ１〜Ｓ２の処理を繰り返す。
【００４４】
ＰＯＳ端末１の制御部１３（第１の送信手段１３１）は、小計キー４ｅが操作された場合には（ステップＳ３のＹｅｓ）、貨幣入出金装置である硬貨入出金装置２及び紙幣入出金装置３に対して入金受け付けの開始を指示する入金開始コマンドを送信する（ステップＳ４）。
【００４５】
すなわち、本実施形態においては、従来のシステムのように顧客から預かった現金を貨幣入出金装置に入金する際に入金確認キー４ｆを押下することなく、小計キー４ｅの押下のみで貨幣入出金装置（硬貨入出金装置２及び紙幣入出金装置３）に対して入金開始コマンドを送信するようにしているので、釣銭機連動操作を簡易化することによる改善を図り、一取引にかかる時間を低減することができる。
【００４６】
次いで、ＰＯＳ端末１の制御部１３（画面表示手段１３５）は、貨幣入出金装置（硬貨入出金装置２及び紙幣入出金装置３）への入金を促す入金確認画面Ｐ１（図６参照）をディスプレイ９にポップアップ表示し（ステップＳ５）、キャッシャによるキーボード４の入金確認キー４ｆ、取消キー４ｇ、小計解除キー４ｈ又は商品券キー４ｃの何れかが操作されるまで（ステップＳ６のＹｅｓ、ステップＳ７のＹｅｓ、ステップＳ８のＹｅｓ、ステップＳ９のＹｅｓ）、待機する。
【００４７】
ここで、図６は入金確認画面Ｐ１の一例を示す正面図である。図６に示す入金確認画面Ｐ１は、預かり投入金額表示エリアＡ１と、合計金額表示エリアＡ２と、メッセージ表示エリアＡ３とを有している。
【００４８】
預かり投入金額表示エリアＡ１は、貨幣入出金装置（硬貨入出金装置２及び紙幣入出金装置３）に対して入金された預かり投入金額を表示する。図６に示す入金確認画面Ｐ１は、貨幣入出金装置（硬貨入出金装置２及び紙幣入出金装置３）に対する入金前の状態を示すものであって、預かり投入金額は“０”である。
【００４９】
合計金額表示エリアＡ２は、ステップＳ２の売上登録処理で算出された売上合計金額を表示する。
【００５０】
メッセージ表示エリアＡ３は、操作に関わる下記に示すような各種のメッセージを表示する。
・入金開始は［入金確認］キー
・中止の場合は［取消］キー
・その他締め操作も可能
【００５１】
一方、貨幣入出金装置（硬貨入出金装置２及び紙幣入出金装置３）は、ＰＯＳ端末１から入金開始コマンドを受信すると、各部を入金動作可能状態にして、入金の受け付けを開始する。
【００５２】
よって、キャッシャは、小計キー４ｅを操作後に、顧客から受け取った貨幣のうち硬貨を硬貨入出金装置２に投入し、紙幣を紙幣入出金装置３に投入した後、入金確認キー４ｆを操作すればよい。
【００５３】
ＰＯＳ端末１の制御部１３（第２の送信手段１３２）は、入金確認キー４ｆが操作されたならば（ステップＳ６のＹｅｓ）、貨幣入出金装置（硬貨入出金装置２及び紙幣入出金装置３）に対して入金額情報通知コマンドを送信する（ステップＳ１０）。
【００５４】
入金額情報通知コマンドは、貨幣入出金装置（硬貨入出金装置２及び紙幣入出金装置３）に対して、入金の受け付けを終了して、当該入金動作による入金額情報として各貨幣の計数結果の通知を要求するコマンドである。
【００５５】
貨幣入出金装置（硬貨入出金装置２及び紙幣入出金装置３）は、ＰＯＳ端末１から入金額情報通知コマンドを受信すると、入金の受け付けを停止し、当該入金動作による各貨幣の計数結果をＰＯＳ端末１に対して送信する。
【００５６】
ＰＯＳ端末１の制御部１３（預かり金額入力手段１３３）は、貨幣入出金装置（硬貨入出金装置２及び紙幣入出金装置３）から各貨幣の計数結果を入金額情報として受信した場合（ステップＳ１１のＹｅｓ）、受信した各貨幣の計数結果に基づいて貨幣入出金装置（硬貨入出金装置２及び紙幣入出金装置３）での当該入金動作での入金額を算出し、この入金額を預かり金額としてＲＡＭ１７の預かり金額バッファに記憶する（ステップＳ１２）。
【００５７】
また、ＰＯＳ端末１の制御部１３は、貨幣入出金装置（硬貨入出金装置２及び紙幣入出金装置３）での入金額が確定した旨のダイアログ（図示せず）をディスプレイ９に表示する（ステップＳ１３）。
【００５８】
ＰＯＳ端末１の制御部１３は、キーボード４の預／現計キー４ｂが操作され、締めが宣言された場合には（ステップＳ１４のＹｅｓ）、ＲＡＭ１７の預かり金額バッファに記憶されている預かり金額の合計が売上合計金額以上であるか否かを判定し、締め処理の実行を許可するか否かを決定する（ステップＳ１５）。
【００５９】
ＰＯＳ端末１の制御部１３（許可手段１３４）は、ＲＡＭ１７の預かり金額バッファに記憶されている預かり金額の合計が売上合計金額よりも少ないと判定した場合には（ステップＳ１５のＮｏ）、預かり金額が不足しているので、締め処理の実行を許可せずに、追加入金を指示する内容の画面（図示せず）を操作者側のディスプレイ９に表示させて、預かり金額の不足を報知して追加入金を促して（ステップＳ１６）、ステップＳ４に戻り、預かり金額の再入力処理を再び受け付ける。この場合、入金確認画面Ｐ１の預かり投入金額表示エリアＡ１における預かり投入金額は預かり金額バッファに記憶されている預かり金額である。
【００６０】
なお、ＰＯＳ端末１の制御部１３（取消手段１３７）は、入金確認画面Ｐ１をディスプレイ９にポップアップ表示した状態で、取消キー４ｇが操作されたならば（ステップＳ６のＮｏ、ステップＳ７のＹｅｓ）、入金確認画面Ｐ１の預かり投入金額表示エリアＡ１をクリアし（ステップＳ１８）、ステップＳ４に戻って、キャッシャによる貨幣の追加投入に待機する。この場合、入金確認画面Ｐ１の預かり投入金額表示エリアＡ１における預かり投入金額は“０”である。
【００６１】
また、ＰＯＳ端末１の制御部１３（解除手段１３８）は、入金確認画面Ｐ１をディスプレイ９にポップアップ表示した状態で、小計解除キー４ｈが操作されたならば（ステップＳ６のＮｏ、ステップＳ７のＮｏ、ステップＳ８のＹｅｓ）、入金確認画面Ｐ１を消去するとともに、小計キー４ｅの操作前の状態に戻す小計解除処理を実行し（ステップＳ１９、Ｓ２０）、ステップＳ３に戻る。
【００６２】
また、ＰＯＳ端末１の制御部１３（決済手段１３６）は、入金確認画面Ｐ１をディスプレイ９にポップアップ表示した状態で、商品券キー４ｃが操作されたならば（ステップＳ６のＮｏ、ステップＳ７のＮｏ、ステップＳ８のＮｏ、ステップＳ９のＹｅｓ）、商品券による決済が宣言されたと判断して、入金確認画面Ｐ１を消去するとともに、商品券の額面金額を取得し、ＲＡＭ１７の預かり金額バッファに記憶させる商品券による決済処理を実行する（ステップＳ２１）。より詳細には、ＰＯＳ端末１の制御部１３は、商品券の額面金額を、商品券にバーコード化されて印字された額面金額をバーコードスキャナ１１による読み取り入力によって取得する。
【００６３】
そして、ＰＯＳ端末１の制御部１３は、商品券による決済処理が終了すると、ステップＳ１５に進む。
【００６４】
すなわち、本実施形態のＰＯＳ端末１によれば、小計キー４ｅの押下のみで自動的に入金確認操作（現金決済処理）となるが、現金決済処理をキャンセルすることなく他の決済処理も可能となるので、操作性の向上を図ることができる。
【００６５】
なお、本実施形態においては、現金決済の以外の決済として商品券による決済を説明したが、これに限るものではなく、クレジットカードによる決済や電子マネーによる決済であっても良い。
【００６６】
ＰＯＳ端末１の制御部１３は、以上のような入金額の入力処理によって、ＲＡＭ１７の預かり金額バッファに記憶されている預かり金額の合計が商品の合計金額以上になった場合には締め処理の実行を許可し（ステップＳ１５のＹｅｓ）、締め処理を実行する（ステップＳ１７）。ここに、ステップＳ１５により、取得された預かり金額が登録された商品の合計金額以上であることを条件に、締め処理の実行を許可する許可手段の機能が実行される。
【００６７】
ＰＯＳ端末１の制御部１３は、ステップＳ１７の締め処理では、預かり金額と売上金額との差分により釣銭金額を算出し、釣銭が有る場合には、貨幣入出金装置（硬貨入出金装置２及び紙幣入出金装置３）に釣銭払い出しコマンドを送信して、貨幣入出金装置（硬貨入出金装置２及び紙幣入出金装置３）によって釣銭を払い出す。そして、ＰＯＳ端末１の制御部１３は、ＲＡＭ１７の売上バッファに記憶された売上データを売上ファイルに記憶し、当該売上処理データのうちの所定内容をプリンタ６によって印字させたレシートをレシート発行口７から発行する。また、ＰＯＳ端末１の制御部１３は、商品の合計金額（売上合計金額）等により構成されるジャーナルデータをジャーナルバッファに格納し、一取引に係るジャーナルデータを作成する。こうして一取引が終了すると、ＰＯＳ端末１の制御部１３は、ジャーナルバッファのジャーナルデータをジャーナルファイルに記憶する。
【００６８】
このように、実施形態のＰＯＳ端末１によれば、従来のシステムのように顧客から預かった現金を貨幣入出金装置に入金する際に入金確認キー４ｆを押下することなく、小計キー４ｅの押下のみで貨幣入出金装置（硬貨入出金装置２及び紙幣入出金装置３）に対して入金開始コマンドを送信するようにしているので、釣銭機連動操作を簡易化することによる改善を図り、一取引にかかる時間を低減することができる。
【００６９】
なお、本実施形態においては、入金額情報として、貨幣入出金装置（硬貨入出金装置２及び紙幣入出金装置３）に入金された各貨幣の計数結果を例に説明したが、これに限定するものではない。入金額情報としては、例えば、貨幣入出金装置（硬貨入出金装置２及び紙幣入出金装置３）に入金された貨幣の金額そのものであってもよい。この場合には、貨幣入出金装置（硬貨入出金装置２及び紙幣入出金装置３）に、入金された各貨幣の計数結果に基づいて入金額を算出する手段を設ければよい。これにより、ＰＯＳ端末１においては、入金額の計算が必要なくなる。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
１        商品販売データ処理装置
２，３    貨幣入出金装置
４ｃ      決済キー
４ｅ      小計キー
４ｆ      入金確認キー
４ｇ      取消キー
４ｈ      小計解除キー
１３１    第１の送信手段
１３２    第２の送信手段
１３３    預かり金額入力手段
１３４    許可手段
１３５    画面表示手段
１３６    決済手段
１３７    取消手段
１３８    解除手段
【先行技術文献】
【特許文献】
【００７２】
【特許文献１】特開２００３−３４６２４６公報
【図１】
2015056072.tif 000003
【図２】
2015056072.tif 000004
【図３】
2015056072.tif 000005
【図４】
2015056072.tif 000006
【図５】
2015056072.tif 000007
【図６】
2015056072.tif 000008